(57)【要約】【課題】測定部位の脈圧の分布を示すグラフを見る方向に従い切替え表示する。【解決手段】配列方向が動脈と交差するようにして測定部位に押圧される圧力センサアレイを用いて脈波測定する。測定部位に押圧される圧力センサアレイの一方端の圧力センサから開始して、他方端に配置される圧力センサまで、配列における圧力センサの並びの順に従い、各圧力センサが出力する圧力データを連続的にプロットしたグラフデータを作成する（Ｓ３ａ）。作成されたグラフデータに基づくグラフを表示する（Ｓ５、Ｓ６）。表示に際しては、面が押圧された状態において、圧力センサアレイが配置され、かつ動脈と交差する方向を含む平面を挟む一方側の視点から見たグラフを表示し、外部から切替指示が与えられると（Ｓ４）、平面を挟む他方側の視点から見たグラフに切替え表示する。【選択図】図１０
2008012161.tif 000002
【特許請求の範囲】
【請求項１】
複数の圧力センサが配列された面を有し、該面が生体の動脈上に該圧力センサの配列方向が該動脈と交差するように押圧される圧力センサアレイと、
該圧力センサアレイの前記面を前記動脈上に押圧する押圧手段と、
前記押圧手段により押圧される前記圧力センサアレイの一方端の前記圧力センサから開始して、他方端に配置される前記圧力センサまで、前記配列における圧力センサの並びの順に従い、各圧力センサが出力する圧力データを連続的にプロットしたグラフデータを作成するグラフ作成手段と、
前記グラフ作成手段により作成された前記グラフデータに基づくグラフを、表示部に表示する表示制御手段と、を備え、
前記表示制御手段は、
前記面が押圧された状態において、前記圧力センサアレイが配置され、かつ前記動脈と交差する方向を含む平面を挟む一方側の視点から見た前記グラフ、および前記平面を挟む他方側の視点から見た前記グラフのうち、外部から与えられる切替指示に応じた１つを、前記表示部に表示する、脈波検出装置。
【請求項２】
前記表示制御手段は、
前記表示部において表示される前記一方側の視点から見た前記グラフを、前記外部から与えられる前記切替指示に応じて、前記他方側の視点から見た前記グラフに切替え表示する、請求項１に記載の脈波検出装置。
【請求項３】
前記切替指示に応じて、前記表示部に表示される前記グラフを、前記圧力センサアレイの前記他方端の前記圧力センサから開始して、前記一方端に配置される前記圧力センサまで、前記配列における圧力センサの並びの順に従い、各圧力センサが出力する圧力データを連続的にプロットしたグラフに切替え表示する、請求項１または２に記載の脈波検出装置。
【請求項４】
前記表示制御手段は、
前記グラフとともに、当該グラフを見る前記視点の別を示すデータを表示する、請求項１から３のいずれかに記載の脈波検出装置。
【請求項５】
前記表示制御手段は、
表示されている前記一方側の視点から見た前記グラフが、前記他方側の視点から見た前記グラフにまで変化する状態を表示する、請求項２から４のいずれかに記載の脈波検出装置。
【請求項６】
前記グラフは、前記圧力センサの配列に対応する軸を有し、かつ、前記配列における圧力センサの並びの順に従い、各圧力センサが出力する圧力データを、前記軸の方向に連続的にプロットされており、
前記表示制御手段は、
前記切替指示に応じて、前記圧力センサの並びの中央に配置された前記圧力センサが出力する前記圧力データを指すプロット点を通過する中央軸を中心にして、前記グラフを前記配列に対応する前記軸の方向に回転させて、反転させる、請求項２から５のいずれかに記載の脈波検出装置。
【請求項７】
前記表示制御部は、前記回転中の前記グラフの変化状態を表示する、請求項６に記載の脈波検出装置。
【請求項８】
前記圧力センサアレイは前記配列方向にスライド移動操作可能であって、
前記グラフ作成手段により作成された前記グラフデータが指示する脈圧の分布に従い、前記動脈上に位置する前記圧力センサの前記配列における位置を検出し、検出された位置に基づき、前記圧力センサアレイがスライド移動すべき方向を指示する方向指示データを前記表示部に表示する、請求項１から７のいずれかに記載の脈波検出装置。
【請求項９】
前記方向指示データは、
表示されている前記グラフを見る前記視点の別に従い、前記スライド移動すべき方向を指示する、請求項８に記載の脈波検出装置。
【請求項１０】
前記圧力センサアレイは筐体に収容されて、前記筐体内で前記配列方向にスライド移動操作可能であって、
前記筐体の表面には前記スライド移動可能な方向それぞれを指示する絵柄が印刷されて、
前記方向指示データは、前記スライド移動可能な方向のうち、前記スライド移動すべき方向に対応する方向を指示する前記絵柄を示す、請求項９に記載の脈波検出装置。
【請求項１１】
前記表示制御手段は、
前記グラフの開始点または終了点にプロットされた前記圧力データに関連付けて、当該圧力データを出力する前記圧力センサが配置された前記一方端または前記他方端を指示する絵柄を表示し、
前記一方端または前記他方端を指示する絵柄は、前記筐体に印刷された前記スライド移動可能な方向それぞれを指示する絵柄に一致する、請求項１０に記載の脈波検出装置。
【請求項１２】
前記圧力センサアレイは筐体に収容されて、前記筐体内で前記配列方向にスライド移動操作可能であって、
前記圧力センサアレイの外面にはマークが印刷されて、
前記筐体には、外部から前記マークを確認可能な開口部が前記スライド移動の方向に形成されて、
前記筐体の表面において、前記開口部の周囲には、複数の異なる色の着色マークが印刷されて、
前記表示制御手段は、
前記スライド移動すべき方向を、前記圧力センサアレイのマークと前記着色マークのうちのいずれかの着色マークとの位置合わせを指示するデータを表示することにより指示する、請求項９に記載の脈波検出装置。
【請求項１３】
前記圧力センサアレイは筐体に収容されて、前記筐体内で前記配列方向にスライド移動操作可能であって、
前記圧力センサアレイの外面にはマークが印刷されて、
前記筐体には、外部から前記マークを確認可能な開口部が前記スライド移動の方向に形成されて、
前記筐体の表面において、前記開口部の周囲には、複数の異なる文字または記号が印刷されて、
前記表示制御手段は、
前記スライド移動すべき方向を、前記圧力センサアレイのマークと前記複数の異なる文字または記号のうちのいずれかの記号または文字との位置合わせを指示するデータを表示することにより指示する、請求項９に記載の脈波検出装置。
【請求項１４】
前記方向指示データは、
前記スライド移動すべき方向を、表示されている前記グラフを見る前記視点の別に従い、当該視点から見た前記圧力センサアレイを収容した前記筐体の絵柄を用いて指示する、請求項９に記載の脈波検出装置。
【請求項１５】
複数の圧力センサが配列された面を有し、該面が生体の動脈上に該圧力センサの配列方向が該動脈と交差するように押圧される圧力センサアレイと、
該圧力センサアレイの前記面を前記動脈上に押圧する押圧手段と、を備える脈波検出装置における表示をコンピュータに実行させるプログラムであって、
前記押圧手段により押圧される前記圧力センサアレイの一方端の前記圧力センサから開始して、他方端に配置される前記圧力センサまで、前記配列における圧力センサの並びの順に従い、各圧力センサが出力する圧力データを連続的にプロットしたグラフデータを作成するグラフ作成ステップと、
前記グラフ作成ステップにより作成された前記グラフデータに基づくグラフを、表示部に表示する表示制御ステップと、を備え、
前記表示制御ステップでは、
前記面が押圧された状態において、前記圧力センサアレイが配置され、かつ前記動脈と交差する方向を含む平面を挟む一方側の視点から見た前記グラフ、および前記平面を挟む他方側の視点から見た前記グラフのうち、外部から与えられる切替指示に応じた１つを、前記表示部に表示する、プログラム。
【請求項１６】
前記表示制御ステップでは、
前記表示部において表示される前記一方側の視点から見た前記グラフを、前記外部から与えられる前記切替指示に応じて、前記他方側の視点から見た前記グラフに切替え表示する、請求項１５に記載のプログラム。
【請求項１７】
前記表示制御ステップでは、
前記面が押圧された状態において、前記圧力センサアレイが配置され、かつ前記動脈と交差する方向を含む平面を挟む一方側の視点から見た前記グラフを表示し、前記切替指示に応じて、前記平面を挟む他方側の視点から見た前記グラフに切替え表示する、請求項１５または１６に記載のプログラム。
【請求項１８】
前記圧力センサアレイは前記配列方向にスライド移動操作可能であって、
前記表示制御ステップでは、
前記グラフ作成ステップにより作成された前記グラフデータが指示する脈圧の分布に従い、前記動脈上に位置する前記圧力センサの前記配列における位置を検出し、検出された位置に基づき、前記圧力センサアレイがスライド移動すべき方向を指示する方向指示データを前記表示部に表示する、請求項１５から１７のいずれかに記載のプログラム。
【発明の詳細な説明】
【技術分野】
【０００１】
この発明は脈波検出装置およびプログラムに関し、特に、脈波検出のためのセンサの位置決め操作がされる脈波検出装置およびプログラムに関する。
【背景技術】
【０００２】
脈波計を用いて被測定者（患者など）の脈波を測定すると、測定された脈波においては、心臓からの血流の押出し圧力波（駆出波）と、末端からの反射圧力波（反射波）とが検出される。駆出波および反射波を含む脈波を測定することで、当該被測定者の血管の硬化（老化）の程度を知ることができる。したがって、脈波を測定することは、当該被測定者の健康状態を知るために非常に重要である。
【０００３】
従来の脈波検出装置は、手首などの測定部位に装着されるセンサユニットを備える。測定時には、被測定者などは、最適な測定位置、すなわち動脈の位置にまで、センサユニットを移動させる。大まかな位置合わせは、マニュアル操作によるが、微調整は実際に脈波を測定しながら動脈位置を判別する。
【０００４】
このような脈波検出装置は、たとえば特許文献１と２に開示される。これら文献に記載の装置では、最終的に決定した位置を、表示ユニットの画面上にトノグラムとして表示する機能を有する。トノグラムは、センサユニットの脈波センサで検出する脈圧の分布を示す。微調整時には表示されるトノグラムを見ながらセンサユニットを移動させて、最適な位置を探索することになる。
【特許文献１】特開２００３−３２５４６３号公報
【特許文献２】特開２００４−２２２８４７号公報
【発明の開示】
【発明が解決しようとする課題】
【０００５】
しかしながら、特許文献１と２に開示の装置では、腕に装着したセンサユニットを移動させるべき方向と表示されているトノグラムにより指示される動脈が位置する方向との対応がつき難かった。すなわち、被測定者はトノグラムを見ただけでは、センサユニットをいずれの方向に移動させればよいかの判断が付きにくかった。
【０００６】
また、脈波装置は医療機関などで用いられることも多いが、トノグラムは、センサユニットを装着した被測定者の視点に従う脈圧の分布を指すのか、または、操作者（医家など）の視点に従う脈圧の分布を指すのかが明示されずに表示されていた。したがって、被測定者および測定者のいずれであっても、トノグラムからセンサユニットを移動すべき方向を明確に把握するのが困難であった。
【０００７】
それゆえにこの発明の目的は、検出した測定部位の脈圧の分布を示すグラフを見る方向に従い切替え表示する脈波検出装置およびプログラムを提供することである。
【０００８】
この発明の他の目的は、検出した測定部位の脈圧の分布に応じた圧力センサアレイの移動方向を表示する脈波検出装置およびプログラムを提供することである。
【課題を解決するための手段】
【０００９】
この発明のある局面に従う脈波検出装置は、複数の圧力センサが配列された面を有し、該面が生体の動脈上に該圧力センサの配列方向が該動脈と交差するように押圧される圧力センサアレイと、該圧力センサアレイの面を前記動脈上に押圧する押圧手段と、押圧手段により押圧される圧力センサアレイの一方端の圧力センサから開始して、他方端に配置される圧力センサまで、配列における圧力センサの並びの順に従い、各圧力センサが出力する圧力データを連続的にプロットしたグラフデータを作成するグラフ作成手段と、グラフ作成手段により作成されたグラフデータに基づくグラフを、表示部に表示する表示制御手段と、を備え、表示制御手段は、面が押圧された状態において、圧力センサアレイが配置され、かつ動脈と交差する方向を含む平面を挟む一方側の視点から見たグラフ、および平面を挟む他方側の視点から見たグラフのうち、外部から与えられる切替指示に応じた一つを表示する。
【００１０】
好ましくは、表示制御手段は、表示部において表示される一方側の視点から見たグラフを、外部から与えられる切替指示に応じて、他方側の視点から見たグラフに切替え表示する。
【００１１】
好ましくは、切替指示に応じて、表示部に表示されるグラフを、圧力センサアレイの他方端の圧力センサから開始して、一方端に配置される圧力センサまで、配列における圧力センサの並びの順に従い、各圧力センサが出力する圧力データを連続的にプロットしたグラフに切替え表示する。
【００１２】
好ましくは、表示制御手段は、グラフとともに、当該グラフを見る視点の別を示すデータを表示する。
【００１３】
好ましくは、表示制御手段は、表示されている一方側の視点から見たグラフが、他方側の視点から見たグラフにまで変化する状態を表示する。
【００１４】
好ましくは、グラフは、圧力センサの配列に対応する軸を有し、かつ、配列における圧力センサの並びの順に従い、各圧力センサが出力する圧力データを、軸の方向に連続的にプロットされており、表示制御手段は、切替指示に応じて、圧力センサの並びの中央に配置された圧力センサが出力する圧力データを指すプロット点を通過する中央軸を中心にして、グラフを配列に対応する軸の方向に回転させて、反転させる。
【００１５】
好ましくは、表示制御部は、回転中のグラフの状態を表示する。
好ましくは、圧力センサアレイは配列方向にスライド移動操作可能であって、グラフ作成手段により作成されたグラフデータが指示する脈圧の分布に従い、動脈上に位置する圧力センサの配列における位置を検出し、検出された位置に基づき、圧力センサアレイがスライド移動すべき方向を指示する方向指示データを表示部に表示する。
【００１６】
好ましくは、方向指示データは、表示されているグラフを見る視点の別に従い、スライド移動すべき方向を指示する。
【００１７】
好ましくは、圧力センサアレイは筐体に収容されて、筐体内で配列方向にスライド移動操作可能であって、筐体の表面にはスライド移動可能な方向それぞれを指示する絵柄が印刷されて、方向指示データは、スライド移動可能な方向のうち、スライド移動すべき方向に対応する方向を指示する絵柄を示す。
【００１８】
好ましくは、表示制御手段は、グラフの開始点または終了点にプロットされた圧力データに関連付けて、当該圧力データを出力する圧力センサが配置された一方端または他方端を指示する絵柄を表示し、一方端または他方端を指示する絵柄は、筐体に印刷されたスライド移動可能な方向それぞれを指示する絵柄に一致する。
【００１９】
好ましくは、圧力センサアレイは筐体に収容されて、筐体内で配列方向にスライド移動操作可能であって、圧力センサアレイの外面にはマークが印刷されて、筐体には、外部からマークを確認可能な開口部が前記スライド移動の方向に形成されて、筐体の表面において、開口部の周囲には、複数の異なる色の着色マークが印刷されて、表示制御手段は、スライド移動すべき方向を、圧力センサアレイのマークと着色マークのうちのいずれかの着色マークとの位置合わせを指示するデータを表示することにより指示する。
【００２０】
好ましくは、圧力センサアレイは筐体に収容されて、筐体内で配列方向にスライド移動操作可能であって、圧力センサアレイの外面にはマークが印刷されて、筐体には、外部からマークを確認可能な開口部が前記スライド移動の方向に形成されて、筐体の表面において、開口部の周囲には、複数の異なる文字または記号が印刷されて、表示制御手段は、スライド移動すべき方向を、圧力センサアレイのマークと複数の異なる文字または記号のうちのいずれかの記号または文字との位置合わせを指示するデータを表示することにより指示する。
【００２１】
好ましくは、方向指示データは、スライド移動すべき方向を、表示されているグラフを見る視点の別に従い、当該視点から見た圧力センサアレイを収容した筐体の絵柄を用いて指示する。
【００２２】
この発明の他の局面に従うと、複数の圧力センサが配列された面を有し、該面が生体の動脈上に該圧力センサの配列方向が該動脈と交差するように押圧される圧力センサアレイと、該圧力センサアレイの面を前記動脈上に押圧する押圧手段と、を備える脈波検出装置における表示をコンピュータに実行させるプログラムは、であって、押圧手段により押圧される圧力センサアレイの一方端の圧力センサから開始して、他方端に配置される圧力センサまで、配列における圧力センサの並びの順に従い、各圧力センサが出力する圧力データを連続的にプロットしたグラフデータを作成するグラフ作成ステップと、グラフ作成ステップにより作成されたグラフデータに基づくグラフを、表示部に表示する表示制御ステップと、を備え、表示制御ステップでは、面が押圧された状態において、圧力センサアレイが配置され、かつ動脈と交差する方向を含む平面を挟む一方側の視点から見たグラフ、および平面を挟む他方側の視点から見たグラフのうち、外部から与えられる切替指示に応じた１つを、表示部に表示する。
【００２３】
好ましくは、表示制御ステップでは、表示部において表示される一方側の視点から見たグラフを、外部から与えられる切替指示に応じて、他方側の視点から見たグラフに切替え表示する。
【００２４】
好ましくは、表示制御ステップでは、面が押圧された状態において、圧力センサアレイが配置され、かつ動脈と交差する方向を含む平面を挟む一方側の視点から見たグラフを表示し、切替指示に応じて、平面を挟む他方側の視点から見たグラフに切替え表示する。
【００２５】
好ましくは、圧力センサアレイは配列方向にスライド移動操作可能であって、表示制御ステップでは、グラフ作成ステップにより作成されたグラフデータが指示する脈圧の分布に従い、動脈上に位置する圧力センサの配列における位置を検出し、検出された位置に基づき、圧力センサアレイがスライド移動すべき方向を指示する方向指示データを表示部に表示する。
【発明の効果】
【００２６】
発明によれば、表示部のグラフ表示を、逆の視点からの表示に切替え可能な機能を有するので、グラフを見る方向に応じたグラフを表示できる。また、表示部では、現在の視点方向（グラフを見ている方向）からの圧力センサアレイの移動させるべき方向を指示することができる。
【発明を実施するための最良の形態】
【００２７】
以下、この発明の実施の形態について図面を参照し詳細に説明する。各図中、同一符号は同一または相当部分を示す。
【００２８】
図１と図２には、本実施の形態に係る脈波検出装置の機能構成が示される。図３にはセンサユニットと固定台を含む各部の接続関係が示される。図４には、脈波検出装置を生体に装着した状態が示される。図３と図４を参照して、脈波検出装置は手首の動脈における脈波を検出するために手首表面に装着されるセンサユニット１、脈波検出のために手首を固定するための固定台２および脈波検出および血圧測定のための演算を含む各種処理を実行するための表示ユニット３を備える。図３ではセンサユニット１は筐体１００内に収容されており、図４では溝９（図３参照）に案内されて筐体１００内から外部にスライド移動されて、手首上に位置している状態が示される。
【００２９】
固定台２は固定台ユニット７を内蔵する。固定台ユニット７とセンサユニット１とは通信ケーブル５とエア管６とを介して接続される。また、血圧測定部位に装着されるカフ５２と表示ユニット３とはエア管５３を介して接続される。ここでは、固定台ユニット７と表示ユニット３とは通信のためにＵＳＢ（Universal Serial Bus）ケーブル４を介して接続されるが、無線にて接続されてもよい。
【００３０】
脈波検出時には、図４に示すように、ユーザは手首を固定台２の所定位置に載置した状態で、センサユニット１をスライド移動により手首の動脈側の表面に位置させてセンサユニット１の筐体１００と固定台２とをベルト８を介して締めて、手首上のセンサユニット１がずれないように止める。測定の態様としては、センサユニット１を用いた脈波測定のみ、カフ５２を用いた血圧測定のみ、または両方の測定の３種類が想定される。
【００３１】
脈波検出のためのセンサユニット１は手首に装着される。血圧測定のためのカフ５２は上腕部に巻付け（装着）される。装着の態様としては次のようである。たとえば左腕にセンサユニット１を装着し、右腕にカフ５２を装着するというように、脈波と血圧を左右の腕において同時に検出するようにしてもよい。または、図４のように、同じ腕にセンサユニット１とカフ５２を装着して、脈波検出に引き続き、血圧測定をするようにしてもよい。
【００３２】
図１を参照して、センサユニット１は、脈圧を検出するための複数個のダイアフラムと抵抗ブリッジ回路からなる複数の圧力センサ２６が単結晶シリコンなどからなる半導体チップの後述の押圧面４０に一方向に配列されて成る圧力センサアレイ１１、圧力センサアレイ１１中の複数の圧力センサ２６それぞれが出力する検出する脈圧に応じた電圧信号を選択的に導出するマルチプレクサ１２、および圧力センサアレイ１１を手首上に押圧させるために加圧調整される空気袋を含む押圧カフ１３を有する。表示ユニット３は、トノグラムおよび後述するようにセンサユニット１のスライド方向を案内するための情報などをユーザに報知する。
【００３３】
固定台ユニット７は、押圧カフ（空気袋）１３の内圧（以下、カフ圧という）を加圧するための加圧ポンプ１４と減圧するための負圧ポンプ１５、加圧ポンプ１４と負圧ポンプ１５のいずれかを選択的にエア管６に切換接続するための切換弁１６、これらを制御するための制御回路１７、表示ユニット３と通信するためにＵＳＢケーブル４が接続される通信回路１８、およびセンサユニット１から導出された出力信号をデジタルデータに変換するためのＡ／Ｄ（Analog/Digital）コンバータ１９を有する。
【００３４】
表示ユニット３は脈波検出装置を集中的に制御するために演算を含む各種処理を実行するＣＰＵ（Central Processing Unit）２０、脈波検出装置を制御するためのデータおよびプログラムを記憶するＲＯＭ（Read Only Memory）２１とＲＡＭ（Random Access Memory）２２、外部から操作可能に設けられて各種情報を入力するために操作される操作部２３、脈波検出結果および血圧測定の結果などの各種情報を外部出力するためにＬＣＤ（Liquid Crystal Display）などからなる表示器２４、外部Ｉ／Ｆ（Interface）４１、現在時刻を計時して時間データとして出力するタイマ４３、血圧測定ユニット５０、血圧測定ユニット５０とＣＰＵ２０とを通信により接続するための通信回路７１、および固定台ユニット７の通信回路１８とＣＰＵ２０を、ＵＳＢケーブル４を介して接続するための通信回路７２を有する。
【００３５】
外部Ｉ／Ｆ４１は、ＣＤ−ＲＯＭ（Compact Disk−Read Only Memory）４２が着脱自在に装着されて、装着されたＣＤ−ＲＯＭ４２のデータをアクセスする。血圧測定ユニット５０は、上腕に装着されるカフ５２を、エア管５３を介し接続する。
【００３６】
なお、ここでは固定台２の固定台ユニット７と表示ユニット３とは別個に設けたが、両機能を固定台２に内蔵する構成であってもよい。内蔵される場合には、操作部２３と表示器２４とは外部から操作可能なように、または外部から表示内容を確認可能なように固定台２の筐体に取付けされる。
【００３７】
図２には血圧測定系５０とその関連部分の構成が示される。図２を参照して、血圧測定系５０は、カフ５２に内蔵されている空気袋５１内の圧力（以下「カフ圧」という）により容量が変化する圧力センサ５４、圧力センサ５４の容量値に応じた発振周波数の信号をＩ／Ｆ６０を介して通信回路７１に出力する発振回路５５、カフ圧のレベルを調整するためのポンプ５６および弁５８、ポンプ５６を駆動するポンプ駆動回路５７、および弁５８の開閉度合を調整するための弁駆動回路５９を備える。空気袋５１と圧力センサ５４、ポンプ５６および弁５８とはエア管５３を介して接続される。Ｉ／Ｆ６０は、発振回路１５から得られる信号を圧力信号（動脈の容積変化を示す圧脈波の信号）に変換し、通信回路７１に出力する。
【００３８】
図５を参照して、実施の形態に係る脈波検出装置の機能構成について説明する。脈波検出装置は、後述の血圧測定値を算出する血圧算出部２０１、表示器２４における情報・データの表示を制御する表示制御部２０２、メモリ（ＲＡＭ２２）のデータの格納および読出しを制御するメモリ制御部２０３、通信回路１８から送信される圧力センサ２６の出力する脈圧の情報を入力し、入力した情報に基づきトノグラムを作成するトノグラム作成部２０４、表示制御部２０２に対し表示器２４のトノグラムの表示の切替えを指示する切替部２０５、通信回路１８から送信される圧力センサ２６の出力する脈圧の情報を入力し、入力した情報に基づき脈波の処理をする脈波処理部２０６、表示制御部２０２に対し表示器２４に所定のダイアログを表示するように指示するダイアログ表示制御部２０７を備える。ダイアログ表示制御部２０７は、測定部位に対するセンサユニット１の位置が適切でないときに、言換えるとエラー発生時に、所定のダイアログを表示するための機能を有する。
【００３９】
ＲＡＭ２２には、血圧測定（算出）結果のデータを指す血圧データ３００、トノグラム作成部２０４により作成されたトノグラムのデータを指すトノグラムデータ３０１、脈波処理部２０６により得られた脈波に関する情報を指す脈波情報３０２、ならびに表示器２４に表示されるダイアログのデータを指す患者用表示データ（Ａ側）および（Ｂ側）３０３および３０５および操作者用表示データ（Ａ側）および（Ｂ側）３０４および３０６が格納される。これらデータ３０３〜３０６の詳細は後述する。
【００４０】
上述した構成において、血圧測定に際しては、血圧算出部２０１は、通信回路７１を介して入力する圧力信号に基づき、所定のアルゴリズムに従い、血圧（mmHg）（最高血圧に相当の収縮期血圧（systolic blood pressure）および最低血圧に相当の拡張期血圧（diastolic blood pressure））ならびに脈拍数（pulse：beat／minute）を算出する。このような算出の手順は従来から提供される周知の手順を適用できるから、ここではその詳細説明は略す。なお、以下、このように算出された血圧値、あるいは、血圧値および脈拍数を、「血圧測定値」ともいう。本実施の形態において、血圧測定値は、血圧測定ごとにメモリ格納部２０３に出力される。メモリ格納部２０３は、入力した血圧測定値を、タイマ４３から入力した時刻データ（測定時刻データ）と対応付けた血圧データ３００としてＲＡＭ２２に格納する。表示制御部２０２は、ＲＡＭ２２から読出した血圧データ３００を表示器２４に表示する。なお、表示制御部２０２は、表示器２４に、タイマ４３から入力した現在時刻データを表示する。
【００４１】
操作部２３は、表示器２４におけるトノグラムの表示態様の切替えを指示するために操作されるスイッチ２３Ａと２３Ｂ、ならびに測定の開始と停止を指示するために操作されるスイッチ２３Ｃと２３Ｄを含む。
【００４２】
図６（Ａ）〜（Ｅ）にはセンサユニット１の構成が示される。図６（Ａ）のセンサユニット１の、手首装着時の手首を横断する方向の断面構造が図６（Ｂ）に示される。図６（Ｃ）には図６（Ｂ）の破線の枠内の一部が拡大して示される。図６（Ｂ）の押圧カフ１３が加圧ポンプ１４および負圧ポンプ１５によりカフ圧が調整されると、セラミックないしは樹脂により成型されたブロックを介して取付けられた圧力センサアレイ１１は図６（Ｃ）に示す矢印２５方向に該カフ圧レベルに応じた量だけ自在に移動する。圧力センサアレイ１１は矢印２５の下方向（手首方向）に移動することにより、筐体１００の予め設けられた開口部から突出して手首表面に押圧される。図６（Ｄ）と図６（Ｅ）に示すように、圧力センサアレイ１１の複数個の圧力センサ２６の配列方向は、センサユニット１を手首に装着した時には動脈と略直交（交差）する方向に対応し、配列長は少なくとも動脈の径より長い。圧力センサ２６それぞれは押圧カフ１３のカフ圧により押圧されると、動脈から発生して生体表面に伝達される圧力振動波（脈圧）である圧力情報を電圧信号として出力する。圧力センサ２６は所定の大きさ（５．５ｍｍ×８．８ｍｍ）の押圧面４０において、たとえば４０個配列される。図６（Ａ）のセンサユニット１のスライド移動方向を案内する溝９が伸びる方向は、圧力センサアレイ１１の圧力センサ２６の配列方向に対応する。
【００４３】
図７には、図４のＶＩＩ−ＶＩＩ線に沿う切断面が示される。図７では押圧カフ１３のカフ圧は負圧ポンプ１５により十分に減圧されているので（大気圧よりも十分に低い圧力レベルを有するので）圧力センサアレイ１１はセンサユニット１の筐体１００内に収納された状態となり手首表面には接触していない。
【００４４】
本実施の形態では、脈波測定時には、表示器２４を介して圧力センサアレイ１１により検出された脈圧の分布を示すトノグラムが表示される。したがって、トノグラムにより、固形物または橈骨動脈２７が位置する方向を、ユーザに対して報知することができる。ユーザは、トノグラムによって、橈骨動脈２７の方向、すなわちセンサユニット１をスライドさせるべき方向を確認することができる。この報知の詳細については後述する。
【００４５】
ここで、センサユニット１をスライドする方向について説明をする。前述したようにセンサユニット１を手首に装着したとき、複数個の圧力センサ２６の配列方向は、橈骨動脈２７と略直交（交差）する方向に対応し、溝９により案内されるセンサユニット１のスライド移動方向は、圧力センサ２６の配列方向と対応する。したがって、センサユニット１のスライド移動方向は、橈骨動脈２７と略直交（交差）する方向に対応する。
【００４６】
図８と図９にはセンサユニット１の筐体１００に印字（プリント）されたマーク６１と６２（文字‘Ａ’と‘Ｂ’付き矢印）が示される。図８のマーク６１は、センサユニット１を収容する筐体１００の側面において、センサユニット１を手首に装着した状態の患者側から、確認可能なように、溝９に案内されてスライド移動操作の可能な方向が→、←で印字されるとともに、各矢印には向きを一意に指示する文字（‘Ａ’と‘Ｂ’）が付されて印字されている。ここでは、スライド移動操作可能な方向が文字と矢印の組合わせによる絵柄で示されているが、方向を指示できれば他の文字、数値、図形などの絵柄であってもよい。
【００４７】
センサユニット１が患者の手首に装着された状態（図４参照）において、マーク６１と６２の文字‘Ａ’は、患者の左側を指し、文字‘Ｂ’は患者の右側を指す。したがって、センサユニット１を装着した状態では、センサユニット１を文字‘Ａ’側にスライドすることは、患者側に居る人（患者または操作者）は、その人の左側にスライド操作することを指し、センサユニット１を文字‘Ｂ’側にスライドすることは、その人の右側にスライド操作することを指す。
【００４８】
また、センサユニット１が患者の手首に装着された状態（図４参照）において、患者とセンサユニット１を挟んで相対する位置に居る人（操作者）は、マーク６１と６２の文字‘Ａ’は、その人の右側を指し、文字‘Ｂ’は左側を指す。したがったセンサユニット１を装着した状態では、その人がセンサユニット１を文字‘Ａ’側にスライドすることは、その人の右側にスライド操作することを指し、文字‘Ｂ’側にスライドすることは、その人の左側にスライド操作することを指す。ここでは、図示されないが、センサユニット１の筐体１００の、患者とセンサユニット１を挟んで相対する位置に居る人（操作者）側の面にも、図８のようなマーク６１が印刷されている。
【００４９】
図９（Ａ）と（Ｂ）のマーク６２は、センサユニット１を収容する筐体１００の上面において、センサユニット１を手首に装着した状態の患者が、または、操作者が確認可能なように、センサユニット１を溝９に案内されてスライドすべき向きが→、←で印字されるとともに、各矢印には向きを一意に示す文字（‘Ａ’と‘Ｂ’）が付されて印字されている。
【００５０】
また、図９（Ａ）と（Ｂ）に示されるように、筐体１００の上面の一部には開口部（窓）６７が形成されている。また、センサユニット１の上面にはマーク６６が印字されている。センサユニット１が溝９に案内されてスライド移動するのに伴い、マーク６６も開口部内をスライドする方向に移動する。
【００５１】
ここで、図９（Ａ）を参照して、センサユニット１を収容する筐体１００の上面において開口部６７を挟んで、一方側に複数の棒状のマーク６４が印刷されて、他方側にも、これら棒状マークのそれぞれに対応する位置に棒状マーク６４が印刷されている。棒状マークのそれぞれは異なる色で着色されており、かつ、いるが、開口部６７を挟んで対応して位置する棒状マークどうしは同じ色で着色されている。
【００５２】
図９（Ｂ）では、図９（Ａ）の棒状マークの絵柄に代替して文字（ここでは数値）が印刷されてなるマーク６５が示される。マーク６５で示される数値は、開口部６７を挟んで対応して位置する数値どうしは同じ値を指している。
【００５３】
センサユニット１を溝９の案内によりスライド移動操作させる場合には、マーク６４のいずれかの色の棒状マーク、またはマーク６５のいずれかの値の数値の位置に、センサユニット１のマーク６６を合わせるように操作する。この操作の目的については後述する。
【００５４】
本実施の形態による処理手順を図１０のフローチャートに従い説明する。該フローチャートに従うプログラムと、該プログラム実行時に参照されるデータはＲＯＭ２１またはＲＡＭ２２に予めストアされておりＣＰＵ２０が該データを適宜参照しながらプログラムを読出し実行することで処理が進行する。なお、ここでは表示ユニット３には電源が供給されて動作可能な状態にあると想定する。
【００５５】
まず、使用者は操作部２３の電源スイッチ（図示せず）をＯＮする。当該ＯＮ操作に応答して、ＣＰＵ２０は通信回路１８を介して制御回路１７に、切換弁１６を負圧ポンプ１５側に切換えて、負圧ポンプ１５を駆動するように指示する（ステップＳ１）。したがって、制御回路１７は指示に基づき、切換弁１６を切換して、負圧ポンプ１５を駆動する。
【００５６】
負圧ポンプ１５は駆動されると切換弁１６を介してカフ圧を大気圧よりも十分に低くするように作用するので、圧力センサアレイ１１は図６（Ｃ）の矢印２５の上矢印方向に移動する。この結果、圧力センサアレイ１１が不用意に突出して誤動作や故障するのを回避できる。
【００５７】
その後、測定者がセンサユニット１をたとえば図４のように手首上に装着して操作部２３のスタートボタンをＯＮすると、ＣＰＵ２０の指示信号に従い制御回路１７は圧力センサアレイ１１が移動したか否か、すなわちセンサユニット１がスライド溝９に沿って手首の表面上に位置するようにスライド移動したか否かを判定する（Ｓ２）。センサユニット１の筐体１００内にはスライド移動を検知するための図示されないマイクロスイッチが設けられており、制御回路１７は該マイクロスイッチの検出信号に基づいて圧力センサアレイ１１が移動したか否かを判定する。
【００５８】
移動したと判定されない間は（ステップＳ２でＮＯ）、ステップＳ１の処理が繰返される。移動したと判定されると（ステップＳ２でＹＥＳ）、制御回路１７は操作部２３から与えられる操作信号に基づきスイッチ２３Ｃが操作されたか否かを判定する（ステップＳ２ａ）。判定結果が、スイッチ２３Ｃが操作されない、すなわち測定の開始が指示されないことを指す場合には（ステップＳ２ａでＮＯ）、ステップＳ１の処理に戻り、以降は、スイッチ２３Ｃが操作されるまで、ステップＳ１とＳ２の処理が繰返される。
【００５９】
一方、ステップＳ２ａの判定結果が、スイッチ２３Ｃが操作された、すなわち測定の開始が指示されたことを指す場合には（ステップＳ２ａでＹＥＳ）、制御回路１７は切換弁１６を加圧ポンプ１４側に切換えて、加圧ポンプ１４を駆動する（ステップＳ３）。これにより、カフ圧が上昇して圧力センサアレイ１１が図６（Ｃ）の矢印２５の下矢印方向に移動して圧力センサアレイ１１は手首の表面に押圧される。
【００６０】
圧力センサアレイ１１が手首表面上に押圧されると（図７参照）、各圧力センサ２６から電圧信号の圧力情報（脈圧を指す情報）がマルチプレクサ１２を介して導出され、Ａ／Ｄコンバータ１９でデジタル情報に変換されて、通信回路１８を介し表示ユニット３のトノグラム作成部２０４に与えられる。この場合、圧力センサアレイ１１の配列の一方端の圧力センサ２６から、他方端の圧力センサ２６まで、その位置の順番に従い圧力情報がトノグラム作成部２０４に与えられる。トノグラム作成部２０４は、与えられるデジタル情報（圧力情報）を用いてトノグラムを作成し、作成したトノグラムのデータ３０１をメモリ制御部２０３に出力する（Ｓ３ａ）。メモリ制御部２０３は与えられるデータをＲＡＭ２２に格納する。
【００６１】
このとき、切替部２０５は操作部２３から入力する切替の操作信号に基づき、現在、トノグラムの表示を操作者視点および患者視点のいずれに従う態様に切替えるように指定されているかを判定する（Ｓ４）。ここでは、予め、患者または操作者によりスイッチ２３Ａまたは２３Ｂが操作されていると想定する。したがって、たとえば、スイッチ２３Ａが予め操作された場合には、当該操作により入力する切替操作信号に基づき、切替部２０５は、患者視点のためのトノグラムを表示するように表示制御部２０２に指示するが、スイッチ２３Ｂが予め操作された場合には、当該操作により入力する切替操作信号に基づき、操作者視点のためのトノグラムを表示するように表示制御部２０２に指示する。
【００６２】
表示制御部２０２は、ＲＡＭ２２からトノグラムデータ３０１を読出し、読出したデータに基づき、切替部２０５から与えられる指示に従い、表示器２４にトノグラムを表示する（Ｓ５、Ｓ６）。ここでは、トノグラムの表示態様は、切替部２０５から与えられる指示に従い変更される。作成されて表示されるトノグラムについては後述する。
【００６３】
次に、脈波処理部２０６はトノグラムに基づいて腱２９の固形物を除外する処理を実行する（ステップＳ７）。固形物除外処理では、Ｓ３ａで得られたトノグラムの情報に基づいて、圧力センサアレイ１１において固形物上に位置している圧力センサ２６が特定され、特定された圧力センサ２６を除外した残りの圧力センサ２６は、橈骨動脈２７上に位置する圧力センサ２６の候補として選択される。
【００６４】
次に、脈波処理部２０６は橈骨動脈２７上に位置する圧力センサ２６の候補から、橈骨動脈２７上に位置している圧力センサ２６を最適チャネルとして選択するための処理を実行する（ステップＳ８）。この最適チャネル選択処理の詳細は特許文献２に詳述されるので、ここでは、簡単に説明をする。
【００６５】
トノグラムデータ３０１は、各圧力センサ２６について、当該圧力センサ２６により検出された脈圧信号が示す直流成分と交流成分のデータとを含む。ＣＰＵ２０は直流成分のレベルが一定しきい値以上となっているすべての圧力センサ２６を、橈骨動脈２７上に位置していないと特定する。そしてＣＰＵ２０は特定された圧力センサ２６を除外した残りの圧力センサ２６は橈骨動脈２７上に位置する圧力センサの候補とみなす。そして、この候補のうちから、直流成分のレベルがより低く、かつ交流成分のレベルがより高い圧力センサ２６を最適チャネルとして選択する。
【００６６】
次に、脈波処理部２０６は選択された最適チャネルに対応の圧力センサ２６から入力する圧力情報に基づき脈波検出するために、押圧カフ１３による押圧レベルの変動量を算出して、算出した変動量と脈波検出可能な所定変動量とを比較する（ステップＳ９）。比較結果、算出した変動量が所定変動量を満たしていれば脈波検出のためのカフ圧条件が満たされたと判定するが（ステップＳ１０でＹＥＳ）、満たしていなければ、制御回路１７を介して、加圧ポンプ１４による押圧カフ１３に対する加圧を継続しながら、カフ圧条件が満たされるまでステップＳ３ａ〜Ｓ１０の処理を繰返す。
【００６７】
カフ圧条件が満たされた場合には（ステップＳ１０でＹＥＳ）、加圧ポンプ１４を押圧カフ１３による圧力センサアレイ１１に対する押圧レベルが脈波検出のための最適レベルとなるよう調整する（ステップＳ１１）。この調整の詳細は特許文献２に記載されるので、ここでは詳細を略す。
【００６８】
押圧カフ１３について最適圧力調整がなされる下で、最適チャネルとして選択された圧力センサ２６が出力する圧力情報は、すなわち橈骨動脈２７の脈波の波形データは、マルチプレクサ２２、Ａ／Ｄコンバータ１９および通信回路１８を介して脈波処理部２０６に転送される（ステップＳ１２）。
【００６９】
脈波処理部２０６は波形データを受理して、受理した波形データに基づき脈波検出する。波形データを受理して脈波検出終了の所定条件が成立したと判定するまではステップＳ１２の脈波データの転送処理が繰返される。なお、受理した波形データに基づく脈波検出処理は公知の手順に従うので、ここではその詳細は略す。
【００７０】
脈波検出終了の所定条件が成立したときは（ステップＳ１３でＹＥＳ）、ＣＰＵ２０は切換弁１６を介して負圧ポンプ１５を駆動するように制御する（ステップＳ１４）。これにより、手首に対する圧力センサアレイ１１の押圧状態は解かれて、一連の脈波検出処理は終了する。
【００７１】
脈波処理部２０６は、検出した脈波の情報をメモリ制御部２０３に出力する。メモリ制御部２０３は、与えられる情報を脈波情報３０２としてＲＡＭ２２に格納する。表示制御部２０２は、ＲＡＭ２２から脈波情報３０２を読出し、読出した脈波情報３０２を表示器２４を介して外部に出力する。また、脈波の情報は、脈波処理部２０６によりＡＩ（Augmentation Index）の算出に用いられて、算出されたＡＩが表示器２４に出力されるようにしてもよい。
【００７２】
ここで、ステップＳ３ａ、ステップＳ５（Ｓ６）において作成（表示）されるトノグラムについて説明する。
【００７３】
図１１には、作成されたトノグラムデータ３０１に基づく表示の一例が、圧力センサアレイ１１のセンサ２６の配列方向と関連付けして示される。図１２は脈波測定の状態が示される。図１２では、患者の測定部位を、センサユニット１の押圧面４０を当てて押圧した状態において、押圧面４０の圧力センサアレイ１１が配列される方向であって、かつ橈骨動脈２７と略直交（交差）する方向を含む平面（仮想の面であり、図示せず）を挟む一方側に患者の視点があり、他方側に操作者の視点がある。つまり、操作者は図１２に示すように患者と相対する位置に居ると想定する。
【００７４】
図１１を参照して、トノグラム作成部２０４が作成するトノグラムデータ３０１は、圧力センサアレイ１１の圧力センサ２６のそれぞれと、当該圧力センサが出力する脈圧信号が指すレベルとを関連付けしてなるデータである。表示制御部２０２は、ＲＡＭ２２からトノグラムデータ３０１を読出し、読出したデータに基づき、図１１のようなグラフを表示する。当該グラフは、脈圧レベルを縦軸ＶＪにとり、横軸ＨＪに圧力センサ２６の配列に対応させている。そして、原点Ｏを、グラフのプロットの開始点として、Ａ側の圧力センサ２６からＢ側の圧力センサ２６までを配列に従う順番で、各圧力センサ２６が出力する脈圧信号が指すレベルを、連続的にプロットしたグラフである。したがって、横軸ＨＪについて原点Ｏ側には‘Ａ’の文字ＣＨが、原点Ｏとは反対側には‘Ｂ’の文字ＣＨが関連付けをして表示される。文字ＣＨは筐体１００に印刷されたマーク６１の文字に一致する。したがって、患者または操作者は、プロットの開始点または終了点と、圧力センサアレイ１１の配列の一方端と他方端の圧力センサ２６の出力との対応付けが可能となる。図１１のトノグラムは、切替部２０５から与えられる指示が患者視点を指す場合の表示例である。
【００７５】
また、切替部２０５から与えられる指示が操作者視点を指す場合には、図１１のトノグラムは、横軸ＨＪ方向に原点Ｏをグラフのプロットの開始点として、Ｂ側の圧力センサ２６からＡ側の圧力センサ２６までを配列に従う順番で、各圧力センサ２６が出力する脈圧信号が指すレベルを、連続的にプロットしたグラフとして表示される。つまり、表示制御部２０２は、ＲＡＭ２２から読出したトノグラムデータ３０１に基づき、図１１のトノグラムを反転させたものを表示する。
【００７６】
具体的には、圧力センサアレイ１１の中央Ｍに位置する圧力センサ２６の出力レベルをプロットしたトノグラム上の点を通過する軸であって、横軸ＨＪと直交する軸ＭＪを中心に、図１１のトノグラムを横軸ＨＪの方向に反転させたグラフとなる。この場合には、横軸ＨＪについて原点Ｏ側には‘Ｂ’の文字ＣＨが表示されて、原点Ｏとは反対側には‘Ａ’の文字ＣＨが表示される。
【００７７】
ここでは文字ＣＨを用いたが、圧力センサアレイ１１の配列の一方端と他方端の圧力センサ２６の出力との対応付けが可能であれば、文字に代替して数値、図形などの絵柄であってもよい。また、両端に対応する文字‘Ａ’と‘Ｂ’の両方を表示したが、一方端の文字のみを表示するとしてもよい。
【００７８】
したがって、図１２のように、患者が、表示器２４の画面が自分に向くように表示ユニット３が配置された状態で測定する場合には、患者スイッチ２３Ａを操作することにより、図１１で示した患者視点のトノグラムを表示させることができる。したがって、患者は、トノグラムとともに表示される文字ＣＨの‘Ａ’とセンサユニット１の筐体１００に印字されたマーク６１または６２の表示文字に一致している‘Ａ’は、ともに、患者の左側にあると確認できて、‘Ｂ’の文字はともに患者の右側にあると確認できる。したがって、トノグラム変化を見ながらセンサユニット１を移動させる場合に、移動操作方向の誤りを防止できる。
【００７９】
また、図１２の患者とセンサユニット１を挟んで相対する操作者は、トノグラムを確認するために、表示器２４の画面が自分に向くように表示ユニット３の配置を変更して、操作者スイッチ２３Ｂを操作する。これにより、図１１で示したトノグラムを反転表示させて操作者視点のトノグラムを表示することができる。したがって、操作者は、トノグラムとともに表示される文字ＣＨの‘Ａ’とセンサユニット１の筐体１００に印字されたマーク６１または６２の表示文字に一致している‘Ａ’は、ともに、操作者の右側にあると確認できて、‘Ｂ’の文字はともに操作者の左側にあると確認できる。したがって、トノグラム変化を見ながらセンサユニット１を移動させる場合に、移動操作方向の誤りを防止できる。
【００８０】
（ダイアログ表示）
本実施の形態では、センサユニット１を操作して溝９に沿ってスライド移動する方向を、患者または操作者に、ダイアログを表示して案内するようにしてもよい。ダイアログを表示するために、ＲＡＭ２２の患者用表示データ（Ａ側）および（Ｂ側）３０３および３０５および操作者用表示データ（Ａ側）および（Ｂ側）３０４および３０６が用いられる。
【００８１】
図１３には、操作者視点と患者視点のそれぞれについて表示されるトノグラムの例と、ダイアログＥ１とＥ２が示される。図１３においては、操作者視点および患者視点のトノグラムには、当該トノグラムとともに表示制御部２０２により、当該トノグラムが操作者視点および患者視点のいずれに対応するかを指示するマーク６３が表示される。
【００８２】
ダイアログ表示指示部２０７は、メモリ制御部２０３を介してトノグラムデータ３０１を読出し、読出したトノグラムデータ３０１を解析して、解析結果に基づき、最適なトノグラムであるか否かを判定する。ここで、最適なトノグラムとは、図１１のようにトノグラムの中央位置Ｍに対応の値がピーク値を指すようなトノグラムをいう。言い換えると、押圧面４０が測定部位に押圧された状態で圧力センサアレイ１１の中央の圧力センサ２６が橈骨動脈２７上に位置するときには、図１１のような最適なトノグラムが測定される。図１１のトノグラムによれば、測定部位において橈骨動脈２７を中心にしてその周囲の脈圧の分布状況を一目で確認することができる。
【００８３】
ダイアログ表示指示部２０７は、トノグラムデータ３０１のピーク値を指す圧力センサ２６は、圧力センサアレイ１１の中央に位置する圧力センサ２６であるか否かを判定する。中央に位置する圧力センサ２６と判定されない場合には、表示制御部２０２により、エラーメッセージのダイアログが表示される。つまり、最適トノグラムを得られるような位置にセンサユニット１を移動操作するためのガイダンスが表示される。
【００８４】
具体的には、ダイアログ表示指示部２０７は、表示制御部２０２に対して、切替部２０５から与えられるスイッチ２３Ａと２３Ｂの操作の別の信号に従い、操作者視点または患者視点のダイアログＥ１またはＥ２を表示するように指示する。表示制御部２０２は与えられた指示に基づくデータを、メモリ制御部２０３を介してＲＡＭ２２から読出し、読出したデータに従いダイアログＥ１またはＥ２を表示器２４に表示する。具体的な表示例が図１４に示される。
【００８５】
ダイアログＥ２の具体例として、図１４（Ａ）では操作者視点によるものが、図１４（Ｂ）では患者視点によるものが示されている。最適トノグラムが測定されない場合においては、圧力センサアレイ１１の中央の圧力センサ２６が橈骨動脈２７上に位置するように、センサユニット１のスライド操作による移動方向がダイアログにて案内される。
【００８６】
たとえば、ダイアログ表示指示部２０７により、図１３の操作者視点のトノグラムのピーク値が、図１１の軸ＭＪを挟んで原点Ｏとは反対側で検出された場合には、ダイアログ表示指示部２０７は操作者用表示データ（Ｂ側）３０６を表示するように表示制御部２０２に指示するので、表示制御部２０２は当該指示に基づき、メモリ制御部２０３を介して操作者用表示データ（Ｂ側）３０６を読出し、表示器２４に表示する。操作者用表示データ（Ｂ側）３０６に基づき図１４（Ａ）のダイアログが表示されて、センサユニット１をマーク６１または６２が指す‘Ｂ’側に移動させるように、センサユニット１の絵柄とともにその操作方向（←）が案内される。
【００８７】
また、図１３の患者視点のトノグラムのピーク値が、図１１の軸ＭＪを挟んで原点Ｏ側で検出された場合には、同様にして、ダイアログ表示指示部２０７は患者用表示データ（Ｂ側）３０５を表示するように表示制御部２０２に指示するので、表示制御部２０２は当該指示に基づき、メモリ制御部２０３を介して患者用表示データ（Ｂ側）３０５を読出し、表示器２４に表示する。患者用表示データ（Ｂ側）３０５に基づき図１４（Ｂ）のダイアログが表示されて、センサユニット１をマーク６１または６２が指す‘Ｂ’側に移動させるように、センサユニット１の絵柄とともにその操作方向（→）が案内される。
【００８８】
したがって、操作者または患者は、患者が装着しているセンサユニット１を操作して溝９に案内されて移動させる方向を知ることができる。
【００８９】
また、ダイアログでは、吹出しの円内において、マーク６６とマーク６４の棒状のマークとの位置合わせにより、いずれの方向に移動させるべきかを報知している。表示される棒状のマークは、センサユニット１を収容する筐体１００の上面に異なる色で着色された棒状のマークと一致しているので、スライドする方向を、棒状マークの色にて目安をつけることができる。
【００９０】
図１５には、図１３の場合と同様にして、マーク６４に代替してマーク６５を設けた場合のダイアログが示される。表示されるマーク６５の数値の並びの順番（昇順または降順）は、センサユニット１を収容する筐体１００の上面にプリントされたマーク６５のそれと一致しているので、スライドする方向を、マーク６６の数値にて目安をつけることができる。
【００９１】
（切替え時のトノグラムの表示態様）
表示制御部２０２は、表示されている患者側（一方側）の視点から見たトノグラムが、操作者側（他方側）の視点から見たトノグラムにまで変化する（切替される）過程における、トノグラムの形が変化する状態を、表示器２４に表示するようにしてもよい。
【００９２】
図１６には、スイッチ２３Ａと２３Ｂが操作された場合の、表示制御部２０２による、トノグラムの表示の切替態様の一例が示される。スイッチ２３Ａが操作されたことに応じて、図１６の上段のトノグラムが表示された状態において、スイッチ２３Ｂが操作されて操作者視点の表示に切替えが指示された場合には、表示制御部２０２は、表示中のトノグラムが図１１の軸ＭＪを中心にして軸ＨＪの方向に徐々に回転させながら、反転状態に至るまでの過程を、コマ送りにして、表示されるグラフの変化を擬似的に示している。回転中のグラフの状態のコマ送りにより最終的には下段の反転したトノグラム、すなわち操作者視点のトノグラムが表示される。
【００９３】
ここでは切替指示は、表示ユニット３のスイッチ２３Ａまたは２３Ｂを操作して与えられるが、これに代替して、センサユニット１にスイッチ２３Ａと２３Ｂを設けて、センサユニット１から与えられるようにしてもよい。
【００９４】
また、ここでは切替指示を与えるために２つのスイッチ２３Ａと２３Ｂを設けたが、１個のスイッチ、たとえば操作（押下）する度に操作者視点／患者視点の切替指示を与えることのできるトグルスイッチであってもよい。また、表示器２４の向きを回動操作により変更できるようにして、回動操作に応じて操作者視点のトノグラムと患者視点のトノグラムとの間での表示の切替えをするようにしてもよい。
【００９５】
上述の実施の形態では、表示ユニット３は通信により固定台ユニット７からセンサユニット１により検出された脈圧の情報を受理しているが、受理の方法はこれに限定されない。つまり、センサユニット１により検出された脈圧の情報が格納されたＣＤ−ＲＯＭ４２から、ＣＰＵ２０が、外部Ｉ／Ｆ４１を介して脈波情報を読出して取得するようにしてもよい。
【００９６】
本発明における脈波検出装置が行なうトノグラム等の表示方法は、プログラムとして提供することもできる。このようなプログラムは、コンピュータに付属するフレキシブルディスク、ＣＤ−ＲＯＭ、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。たとえば、図１の構成では、ＣＰＵ２０を備えてコンピュータの機能を有する表示ユニット３には、ＣＤ−ＲＯＭ４２を用いて当該プログラムを供給することができる。ＣＰＵ２０は、外部Ｉ／Ｆ４１を介してＣＤ−ＲＯＭ４２に格納されたプログラムを読出し、実行する。
【００９７】
提供されるプログラム製品は、ハードディスクなどのプログラム格納部にインストールされてＣＰＵにより読出されて実行される。なお、プログラム製品は、プログラム自体と、プログラムが記録された記録媒体とを含む。
【００９８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９９】
【図１】本実施の形態に係る脈波検出装置のハードウェア構成図である。
【図２】本実施の形態に係る血圧測定ユニットのハードウェア構成図である。
【図３】本実施の形態に係る操作部のスイッチの配置と、センサユニットと固定台の接続態様を示す図である。
【図４】本実施の形態に係る脈波測定時の使用態様を示す図である。
【図５】本実施の形態に係る脈波検出装置の機能構成図である。
【図６】（Ａ）〜（Ｅ）は本発明の実施の形態に係るセンサユニットの圧力センサアレイの構成を示す図である。
【図７】図４のＶＩＩ−ＶＩＩ線での断面を示す図である。
【図８】本実施の形態に係るセンサユニットの筐体側面図である。
【図９】（Ａ）と（Ｂ）はセンサユニットの筐体上面図である。
【図１０】本実施の形態に係る処理フローチャートである。
【図１１】本実施の形態に係るトノグラムを圧力センサアレイと関連付けて説明をする図である。
【図１２】本実施の形態に係る患者に画面が向いている状態を指す図である。
【図１３】本実施の形態に係る出力の一例を示す図である。
【図１４】（Ａ）と（Ｂ）は、本実施の形態に係る出力の他の例を示す図である。
【図１５】本実施の形態に係る出力のさらなる他の例を示す図である。
【図１６】本実施の形態に係るトノグラムの表示切替途中の表示例を示す図である。
【符号の説明】
【０１００】
１  センサユニット、２  固定台、３  表示ユニット、１０  印字部、１１  圧力センサアレイ、１７  制御回路、２０  ＣＰＵ、２４  表示器、２７  橈骨動脈、２０１  血圧算出部、２０２  表示制御部、２０３  メモリ制御部、２０４  トノグラム作成部、２０５  切替部。
【図１】
2008012161.tif 000003
【図２】
2008012161.tif 000004
【図３】
2008012161.tif 000005
【図４】
2008012161.tif 000006
【図５】
2008012161.tif 000007
【図６】
2008012161.tif 000008
【図７】
2008012161.tif 000009
【図８】
2008012161.tif 000010
【図９】
2008012161.tif 000011
【図１０】
2008012161.tif 000012
【図１１】
2008012161.tif 000013
【図１２】
2008012161.tif 000014
【図１３】
2008012161.tif 000015
【図１４】
2008012161.tif 000016
【図１５】
2008012161.tif 000017
【図１６】
2008012161.tif 000018